(57)【要約】  携帯用電子装置においてオーディオ／ビデオコンテンツを再生する方法が、第１のオーディオ／ビデオ番組を再生する工程と、格納済みのユーザ基本設定に基づいて上記第１のオーディオ／ビデオ番組の再生を中断する工程と、第２のオーディオ／ビデオ番組を再生する工程と、を含む。第１のオーディオ／ビデオ番組の再生工程は、第２のオーディオ／ビデオ番組の終了後に再開することができる。コンピュータプログラム製品が、第１のオーディオ／ビデオ番組を再生し、格納済みのユーザ基本設定に基づいて、上記第１のオーディオ／ビデオ番組の再生を中断して、第２のオーディオ／ビデオ番組を再生するように構成される。
2009514344.tif 000002
【特許請求の範囲】
【請求項１】
オーディオ／ビデオ番組を携帯用電子装置において再生する方法であって、
第１のオーディオ／ビデオ番組を再生する工程と、
格納済みのユーザ基本設定に基づいて前記第１のオーディオ／ビデオ番組の再生を中断する工程と、
第２のオーディオ／ビデオ番組を再生する工程と、
を備えることを特徴とする方法。
【請求項２】
前記第２のオーディオ／ビデオ番組の再生が終了した後、前記第１のオーディオ／ビデオ番組の再生を再開する工程をさらに備えることを特徴とする請求項１に記載の方法。
【請求項３】
前記第１のオーディオ／ビデオ番組を中断する工程は、
前記第１のオーディオ／ビデオ番組の音量を下げる工程と、
前記第２のオーディオ／ビデオ番組を再生する工程と、
前記第２のオーディオ／ビデオ番組を、前記第１のオーディオ／ビデオ番組に優先して再生する工程と
を含むことを特徴とする請求項１に記載の方法。
【請求項４】
前記第１のオーディオ／ビデオ番組はタイムスケジュールされたオーディオ／ビデオ番組を含み、
前記方法は、前記第２のオーディオ／ビデオ番組が再生されている間、前記第１のオーディオ／ビデオ番組を格納する工程をさらに備えることを特徴とする請求項１に記載の方法。
【請求項５】
前記第１のオーディオ／ビデオ番組の中にブレイクポイントを検出する工程をさらに備え、
前記第１のオーディオ／ビデオ番組の再生を中断する工程は、前記検出されたブレイクポイントにおいて前記第１のオーディオ／ビデオ番組の再生を中断する工程を含むことを特徴とする請求項２に記載の方法。
【請求項６】
前記第２のオーディオ／ビデオ番組の受信時に通知信号を生成する工程と、
該通知信号に応答してユーザ入力を受信する工程とをさらに備え、
前記第１のオーディオ／ビデオ番組を中断する工程は、前記ユーザ入力に応答して前記第１のオーディオ／ビデオ番組を中断する工程を含むことを特徴とする請求項２に記載の方法。
【請求項７】
前記通知信号を生成する工程は、アイコンを表示する工程と、可聴告知を生成する工程との少なくともいずれかの工程を含むことを特徴とする請求項６に記載の方法。
【請求項８】
前記第２のオーディオ／ビデオ番組を格納する工程をさらに備え、
前記第２のオーディオ／ビデオ番組を再生する工程は、前記格納済みの第２のオーディオ／ビデオ番組を再生する工程を含むことを特徴とする請求項１に記載の方法。
【請求項９】
前記第２のオーディオ／ビデオ番組は放送番組であり、
前記第２のオーディオ／ビデオ番組を再生する工程は、
前記第２のオーディオ／ビデオ番組を受信機を用いて受信する工程と、
該受信した第２のオーディオ／ビデオ番組を再生する工程と
を含むことを特徴とする請求項１に記載の方法。
【請求項１０】
前記第２のオーディオ／ビデオ番組を受信する工程は、ＡＭ／ＦＭ無線放送と、ＵＨＦ／ＶＨＦ  ＴＶ放送と、ＤＶＢ−Ｈ放送と、衛星無線放送との少なくともいずれかから前記第２のオーディオ／ビデオ番組を受信する工程を含むことを特徴とする請求項９に記載の方法。
【請求項１１】
前記第２のオーディオ／ビデオ番組を受信する工程は、データ通信ネットワークを通じて前記第２のオーディオ／ビデオ番組をダウンロードする工程を含むことを特徴とする請求項９に記載の方法。
【請求項１２】
前記格納済みのユーザ基本設定は、番組の混合についての嗜好と、番組の優先順位とのいずれか一方を含むことを特徴とする請求項１に記載の方法。
【請求項１３】
前記ユーザ基本設定は、過去のユーザ入力に基づいて発見的に決定されることを特徴とする請求項１に記載の方法。
【請求項１４】
前記第２のオーディオ／ビデオ番組は、ニュースと交通警報との少なくともいずれかを含むことを特徴とする請求項１に記載の方法。
【請求項１５】
前記第２のオーディオ／ビデオ番組は、ＦＭ無線受信機によって復号化されるＲＤＳデータメッセージとして受信されることを特徴とする請求項１に記載の方法。
【請求項１６】
前記第１のオーディオ／ビデオ番組は音声のみの番組を含み、
前記第２のオーディオ／ビデオ番組はビデオ番組を含む
ことを特徴とする請求項１に記載の方法。
【請求項１７】
前記第１のオーディオ／ビデオ番組はビデオ番組を含み、かつ、前記第２のオーディオ／ビデオ番組は音声のみの番組を含むことを特徴とする請求項１に記載の方法。
【請求項１８】
オーディオ／ビデオ番組を携帯用電子装置において再生するためのコンピュータプログラム製品であって、
コンピュータ可読記憶媒体であって、コンピュータ可読プログラムコードを前記媒体の中に実装したコンピュータ可読記憶媒体を備えるコンピュータプログラム製品であって、前記コンピュータ可読プログラムコードは、
第１のオーディオ／ビデオ番組を再生するように構成されたコンピュータ可読プログラムコードと、
格納済みのユーザ基本設定に基づいて、前記第１のオーディオ／ビデオ番組の再生を中断するように構成されたコンピュータ可読プログラムコードと、
第２のオーディオ／ビデオ番組を再生するように構成されたコンピュータ可読プログラムコードと、を備えることを特徴とするコンピュータプログラム製品。
【請求項１９】
前記コンピュータプログラム製品は、前記第２のオーディオ／ビデオ番組の再生が終了した後、前記第１のオーディオ／ビデオ番組の再生を再開するように構成されたコンピュータ可読プログラムコードをさらに含むことを特徴とする請求項１８に記載のコンピュータプログラム製品。
【請求項２０】
前記コンピュータプログラム製品は、前記第１のオーディオ／ビデオ番組においてブレイクポイントを検出し、該検出されたブレイクポイントにおいて前記第１のオーディオ／ビデオ番組の再生を中断するように構成されたコンピュータ可読プログラムコードをさらに含むことを特徴とする請求項１９に記載のコンピュータプログラム製品。
【請求項２１】
前記コンピュータプログラム製品は、前記第２のオーディオ／ビデオ番組の受信時に通知信号を生成し、該通知信号に応答してユーザ入力を受信し、該ユーザ入力に応答して前記第１のオーディオ／ビデオ番組を中断するように構成されたコンピュータ可読プログラムコードをさらに含むことを特徴とする請求項１９に記載のコンピュータプログラム製品。
【請求項２２】
前記コンピュータプログラム製品は、前記第２のオーディオ／ビデオ番組を格納し、該格納済みの第２のオーディオ／ビデオ番組を再生するように構成されたコンピュータ可読プログラムコードをさらに含むことを特徴とする請求項１８に記載のコンピュータプログラム製品。
【請求項２３】
前記コンピュータプログラム製品は、前記第２のオーディオ／ビデオ番組を受信機を用いて受信し、該受信された第２のオーディオ／ビデオ番組を再生するように構成されたコンピュータ可読プログラムコードをさらに含むことを特徴とする請求項１８に記載のコンピュータプログラム製品。
【請求項２４】
請求項１に記載の処理を実行するように構成されたことを特徴とする携帯用電子装置。
【請求項２５】
請求項１８に記載のコンピュータプログラム製品によってプログラムされることを特徴とする携帯用電子装置。
【請求項２６】
オーディオ／ビデオ番組を携帯用電子装置において再生する方法であって、
選択される種類のオーディオ／ビデオ番組を規定する工程と、
前記選択された種類の第１及び第２の種類のオーディオ／ビデオ番組に対して相対的優先順位を規定する工程と、
前記選択された種類のオーディオ／ビデオ番組のうちの前記第１の種類を有する第１のオーディオ／ビデオ番組を再生する工程と、
前記選択された種類のオーディオ／ビデオ番組のうちの前記第２の種類を有する第２のオーディオ／ビデオ番組を受信する工程と、
前記選択された種類のオーディオ／ビデオ番組の第２の種類の方が、前記選択された種類のオーディオ／ビデオ番組の第１の種類よりも高い優先順位を有する場合、前記第１のオーディオ／ビデオ番組の再生を中断する工程と、を備えることを特徴とする方法。
【請求項２７】
前記第２のオーディオ／ビデオ番組の再生が終了した後、前記第１のオーディオ／ビデオ番組の再生を再開する工程をさらに備えることを特徴とする請求項２６に記載の方法。
【請求項２８】
前記第１のオーディオ／ビデオ番組を中断する工程は、前記第１のオーディオ／ビデオ番組の音量を下げる工程を含み、
前記第２のオーディオ／ビデオ番組を再生する工程は、前記第２のオーディオ／ビデオ番組を前記第１のオーディオ／ビデオ番組に優先して再生する工程を含む
ことを特徴とする請求項２６に記載の方法。
【請求項２９】
前記第１のオーディオ／ビデオ番組はタイムスケジュールされたオーディオ／ビデオ番組を含み
前記方法は、前記第２のオーディオ／ビデオ番組が再生されている間、前記第１のオーディオ／ビデオ番組を格納する工程をさらに備えることを特徴とする請求項２６に記載の方法。
【請求項３０】
前記第１のオーディオ／ビデオ番組においてブレイクポイントを検出する工程をさらに備え、
前記第１のオーディオ／ビデオ番組の再生を中断する工程は、前記第１のオーディオ／ビデオ番組の再生を前記検出されたブレイクポイントにおいて中断する工程を含むことを特徴とする請求項２６に記載の方法。
【発明の詳細な説明】
【技術分野】
【０００１】
本発明は、通信方法に関し、特に、カスタマイズされたオーディオ／ビデオ番組を携帯用電子装置のユーザに対して提供するように構成された通信方法、及び、コンピュータプログラムに関する。
【背景技術】
【０００２】
オーディオ／ビデオコンテンツ（すなわち、オーディオコンテンツ、ビデオコンテンツ、オーディオコンテンツとビデオコンテンツとの組み合わせ、の少なくともいずれかを含むことができるオーディオ／ビデオ番組）は複数の異なる方法で配信することができる。例えば、アナログのオーディオコンテンツ及びビデオコンテンツが、長年の間ＡＭ／ＦＭ無線放送とＵＨＦ／ＶＨＦ  ＴＶ放送とを用いて配信されている。さらに近年になって、デジタルのオーディオコンテンツ及びビデオコンテンツが民営の衛星放送ネットワークを通じて、並びに、地上ネットワークを利用する無線伝送によって配信されている。さらに、デジタルのオーディオ／ビデオコンテンツがＭＰ３ファイルのような符号化されたオーディオファイルをダウンロードする形でインターネットなどのデータ通信ネットワークを通じて、並びに、「ライブの」ウェブ配信すなわちストリーム配信を介して配信されている。このストリーム配信では、オーディオストリームが配信され、リアルタイムで又はリアルタイムに近い時間で再生される。デジタルのオーディオ／ビデオコンテンツはまた、セルラネットワークとＰＣＳネットワークとの少なくともいずれかのような無線通信ネットワークを通じて配信することができる。特に、無線通信ネットワークの帯域が広くなり、また、加入者端末が次第に複雑になるにつれて、無線通信ネットワークを通じたデジタルオーディオコンテンツ及びビデオコンテンツの配信の増加が考えられる。
【０００３】
オーディオコンテンツをインターネット上で配信する１つの人気のある方法が「ポッドキャスト」として知られている。このポッドキャスティングによって、ユーザは１つ以上のコンテンツプロバイダからマルチメディア番組のフィードを受け取ることが可能となる。ポッドキャストとは一般に、会員登録ベースのコンテンツ配信モデルを意味し、このモデルでは、マルチメディア番組を加入者へ配信するフィードが利用される。ポッドキャストの会員登録は無料ベースのものと料金ベースのものとの少なくともいずれかの場合がある。ユーザは「アグリゲータ（aggregator）」ソフトウェアを用いてポッドキャストフィードの会員登録を行うことができる。このソフトウェアは、新しいコンテンツの定期的チェックと、新しいコンテンツの自動ダウンロードとを行うことができる。アグリゲータ・ソフトウェアには、移動通信装置上に常駐するものと、ユーザがダウンロード済みの番組を移動通信装置へコピーできるようにするものとの少なくともいずれかがある。
【０００４】
電子装置間での無線通信は、多種多様の通信媒体、通信システム及び通信規格を用いて行うことができる。例えば、移動電話機のような携帯用電子装置は、一般に、アナログ無線周波数（ＲＦ）電話システムと、デジタル無線周波数（ＲＦ）電話システムとの少なくともいずれかを介して通信を行うように構成される。このような装置は、有線ローカルエリアネットワーク（ＬＡＮ）と無線ローカルエリアネットワーク（ＬＡＮ）との少なくともいずれかと、ブルートゥースＲＦ通信チャネルと赤外線通信チャネルとの少なくともいずれかのような短距離通信チャネルと、衛星通信システムのような長距離通信システムとの少なくともいずれかを用いて通信を行うように構成されてもよい。
【０００５】
移動端末は、一般に、セルラ電話ネットワークを経由して無線電話サービスへのアクセスを得ることを目的としてユーザにより購入される。しかし、移動端末の能力が増大するにつれて、追加レベルのユーザ機能がこのような移動端末のハードウェアとソフトウェアとの少なくともいずれかに含まれつつある。例えば、移動端末には、スチルカメラとビデオカメラとの少なくともいずれかを設けることができる。これにより写真とビデオとの少なくともいずれかをユーザが撮影し、次いで、上記移動端末から他の移動端末へこれらを送信することが可能となる。同様に、多数の移動端末には、スケジューリング、タスク及びその種のものを追跡するのに適したパーソナル・デジタル・アシスタント（ＰＤＡ）タイプのアプリケーションが含まれる。多数の移動端末には、電子メール（ｅメール）、ショート・メッセージ・サービス（ＳＭＳ）及びマルチメディア・メッセージ・サービス（ＭＭＳ）機能のようなメッセージ通信機能も含まれている。移動端末はまた、無線ネットワークと有線ネットワークとの少なくともいずれかを通じてインターネットプロトコル（ＩＰ）を用いてインターネットと接続する能力を備えることができる。したがって、移動端末が複雑なマルチメディアの表示／再生能力を含むものになるにつれて、並びに、複数のプロトコルと通信媒体との少なくともいずれかを用いて通信が可能となるにつれて、移動端末は、いくつかの種類のマルチメディア番組の受信と再生のための理想的プラットフォームになり得る。
【発明の開示】
【発明が解決しようとする課題】
【０００６】
しかし、上記のような従来の音声配信システムはこのような装置の能力を十分に活用するものではなかった。
【課題を解決するための手段】
【０００７】
本発明のいくつかの実施形態に従う、オーディオ／ビデオコンテンツを携帯用電子装置において再生する方法は、第１のオーディオ／ビデオ番組を再生する工程と、該第１のオーディオ／ビデオ番組の再生を格納済みのユーザ基本設定に基づいて中断する工程と、第２のオーディオ／ビデオ番組を再生する工程と、を含むものである。
【０００８】
本発明のいくつかの実施形態による方法は、第２のオーディオ／ビデオ番組の終了後、第１のオーディオ／ビデオ番組の再生を再開する工程をさらに含むことができる。
【０００９】
第１のオーディオ／ビデオ番組を中断する工程は、該第１のオーディオ／ビデオ番組の音量を下げる工程を含むことが可能であり、
第２のオーディオ／ビデオ番組を再生する工程は、第２のオーディオ／ビデオ番組を前記第１のオーディオ／ビデオ番組に優先して再生する工程を含むことができる。
【００１０】
第１のオーディオ／ビデオ番組はタイムスケジュールされたオーディオ／ビデオ番組を含むことが可能であり、上記方法は、第２のオーディオ／ビデオ番組が再生されている間、第１のオーディオ／ビデオ番組を格納する工程をさらに含むことができる。
【００１１】
本発明のいくつかの実施形態による方法は第１のオーディオ／ビデオ番組の中にブレイクポイントを検出する工程をさらに含むことができる。このような場合、第１のオーディオ／ビデオ番組の再生を中断する工程は、第１のオーディオ／ビデオ番組の再生を上記検出されたブレイクポイントにおいて中断する工程を含むことができる。
【００１２】
別の実施形態による方法は、第２のオーディオ／ビデオ番組の受信時に通知信号を生成する工程と、該通知信号に応答してユーザ入力を受信する工程と、を含むことができる。このような場合、第１のオーディオ／ビデオ番組を中断する工程は、該第１のオーディオ／ビデオ番組を上記ユーザ入力に応答して中断する工程を含むことができる。上記通知信号を生成する工程は、アイコンを表示する工程と、耳に聞こえる告知を生成する工程との少なくともいずれかを含むことができる。
【００１３】
本発明のいくつかの実施形態による方法は、第２のオーディオ／ビデオ番組を格納する工程をさらに含むことができ、第２のオーディオ／ビデオ番組を再生する工程は上記格納済みの第２のオーディオ／ビデオ番組を再生する工程を含むことができる。
【００１４】
第２のオーディオ／ビデオ番組は放送番組であってもよい。ここで、第２のオーディオ／ビデオ番組を再生する工程は、第２のオーディオ／ビデオ番組を受信機を用いて受信する工程と、該受信された第２のオーディオ／ビデオ番組を再生する工程とを含むことができる。
【００１５】
第２のオーディオ／ビデオ番組を受信する工程は、ＡＭ／ＦＭ無線放送、ＵＨＦ／ＶＨＦ  ＴＶ放送、ＤＶＢ−Ｈ放送又は衛星放送から第２のオーディオ／ビデオ番組を受信する工程を含むことができる。第２のオーディオ／ビデオマルチメディア番組を受信する工程は、インターネットによるダウンロードを介して第２のオーディオ／ビデオ番組を受信する工程をさらに含むことができる。
【００１６】
上記格納済みのユーザ基本設定は、番組の混合（programming mix）についての嗜好と、番組の優先順位との少なくともいずれかのうちの一方を含むことができる。このユーザ基本設定は過去のユーザ入力に基づいて発見的に決定されてもよい。
【００１７】
第２のオーディオ／ビデオ番組はニュースアラートと交通警報との少なくともいずれかを含むことができる。いくつかの実施形態では、第２のオーディオ／ビデオ番組はＦＭ無線受信機によって復号化されたＲＤＳデータメッセージとして受信されてもよい。
【００１８】
オーディオ／ビデオ番組を携帯用電子装置において再生するためのコンピュータプログラム製品は、コンピュータ可読プログラムコードを実装したコンピュータ可読記憶媒体を前記媒体の中に含み、前記コンピュータ可読プログラムコードは、格納済みのユーザ基本設定に基づいて第１のオーディオ／ビデオ番組を再生するように構成されるコンピュータ可読プログラムコードと、第１のオーディオ／ビデオ番組の再生を中断するように構成されるコンピュータ可読プログラムコードと、第２のオーディオ／ビデオ番組を再生するように構成されるコンピュータ可読プログラムコードとを含む。
【００１９】
上記コンピュータプログラム製品は、第２のオーディオ／ビデオ番組の終了後、第１のオーディオ／ビデオ番組の再生を再開するように構成されるコンピュータ可読プログラムコードをさらに含むことができる。
【００２０】
上記コンピュータプログラム製品は、第１のオーディオ／ビデオ番組の中にブレイクポイントを検出し、該検出されたブレイクポイントにおいて第１のオーディオ／ビデオ番組の再生を中断するように構成されるコンピュータ可読プログラムコードをさらに含むことができる。
【００２１】
上記コンピュータプログラム製品は、第２のオーディオ／ビデオ番組の受信時に通知信号を生成し、該通知信号に応答してユーザ入力を受信し、該ユーザ入力に応答して第１のオーディオ／ビデオ番組を中断するように構成されるコンピュータ可読プログラムコードをさらに含むことができる。
【００２２】
上記コンピュータプログラム製品は、第２のオーディオ／ビデオ番組を格納し、該格納済された第２のオーディオ／ビデオ番組を再生するように構成されるコンピュータ可読プログラムコードをさらに含むことができる。
【００２３】
上記コンピュータプログラム製品は、第２のオーディオ／ビデオ番組を受信機を用いて受信し、該受信された第２のオーディオ／ビデオ番組を再生するように構成されるコンピュータ可読プログラムコードをさらに含むことができる。
【００２４】
本発明のいくつかの実施形態は、本発明の実施形態に従って処理を実行するように構成される携帯用電子装置を提供するものである。さらに、本発明のいくつかの実施形態は、本発明の実施形態に従って構成されるコンピュータプログラム製品によってプログラムされた携帯用電子装置を提供するものである。
【００２５】
本発明の別の実施形態に従うオーディオ／ビデオ番組を携帯用電子装置において再生する方法は、選択された種類のオーディオ／ビデオ番組を規定する工程と、該選択された種類のオーディオ／ビデオ番組の第１及び第２の種類に対して相対的優先順位を規定する工程と、上記選択された種類のオーディオ／ビデオ番組の第１の種類を有する第１のオーディオ／ビデオ番組を再生する工程と、上記選択された種類のオーディオ／ビデオ番組の第２の種類を有する第２のオーディオ／ビデオ番組を受信する工程と、上記選択された種類のオーディオ／ビデオ番組の第２の種類が該選択された種類のオーディオ／ビデオ番組の第１の種類よりも高い優先順位を有する場合、上記第１のオーディオ／ビデオ番組の再生を中断する工程と、を含む方法である。
【００２６】
本発明についてさらなる理解が得られるように本願の一部に含まれ、本願の一部に組み入れられ、本願の一部を構成する添付図面により、本発明の或る実施形態が例示されている。
【発明を実施するための最良の形態】
【００２７】
次に、本発明の実施形態を示す添付図面を参照しながら、本発明についてさらに詳細に説明する。しかしながら、本発明は本明細書の記載に限定されると解釈すべきではない。むしろこれら実施例は本開示が完全であり完璧であって、本発明の範囲を当業者に十分に伝えるために提供するものである。同一の番号は図面の説明を通じて同一の要素を示すものとする。本明細書で使用されているように「を備えている（comprising）」又は「を備える（comprises）」という用語はオープンエンドスタイルの用語であって、記述した１つ以上の要素と、工程と、機能との少なくともいずれかを含むものであるが、１つ以上の記述されていない要素と、工程と、機能との少なくともいずれかを除外するものではない。本明細書で使用されているように、「と〜との少なくともいずれか（and/or）」という用語は、１つ以上の関連付けられ、リストされた項目のうちの任意の、及び、すべての組み合わせを含むものである。
【００２８】
方法及び通信端末を示すブロック図と動作説明図との少なくともいずれかを参照しながら、本発明に準拠する実施形態について説明する。当然のことながら、ブロック図と動作説明図との少なくともいずれかの個々のブロックと、ブロック図と動作説明図との少なくともいずれかの中のブロックとの組み合わせは、無線周波数と、アナログハードウェアと、デジタルハードウェアとの少なくともいずれかと、プログラム命令との少なくともいずれかによって実現することができる。これらのプログラム命令はコントローラに提供されてもよい。該コントローラは、１つ以上の汎用プロセッサと、特殊用途のプロセッサと、ＡＳＩＣと、他のプログラム可能なデータ処理装置との少なくともいずれかを含むものであってもよく、それによって、上記コントローラと他のプログラマブルデータ処理装置との少なくともいずれかを介して実行される上記プログラム命令が、ブロック図と動作ブロックとの少なくともいずれかに指定される機能／動作の実施手段を創成することになる。いくつかの代替の実施構成では、ブロックに記されているこれらの機能／動作は動作説明図に記されている順序とは異なる順序で実行されてもよい。例えば、連続して示される２つのブロックは実際にはほぼ同時に実行することも可能であるし、あるいは、これらのブロックは、関係する機能／動作に応じて逆の順序で実行されることも時としてある。
【００２９】
本明細書で使用されているように、「通信端末」（あるいは単に「端末」とする）という用語は、公衆交換電話網（ＰＳＴＮ）と、デジタル加入者回線（ＤＳＬ）と、デジタルケーブルと、直接ケーブル接続と、別のデータ接続／ネットワークとの少なくともいずれかのような有線接続を介する場合と、例えば、セルラネットワークと、無線ローカルエリアネットワーク（ＷＬＡＮ）と、ＤＶＢ−Ｈネットワークと、衛星ネットワークのようなデジタルテレビネットワークと、ＡＭ／ＦＭ放送送信機と、他の通信端末との少なくともいずれかとの無線インタフェースを介する場合との少なくともいずれかを介して通信信号を受信／送信するように構成される装置を含むが、これらのみに限定されるわけではない。無線インタフェースを通じて通信するように構成される通信端末は、「無線通信端末」か、「無線端末」か、「移動端末」かの少なくともいずれかの名称で呼ぶことができる。移動端末の例としては、衛星又はセルラ無線電話と、セルラ無線電話に、データ処理、ファクシミリ、及びデータ通信機能を結合した個人通信システム（ＰＣＳ）端末と、無線電話、ポケットベル、インターネット／イントラネットアクセス、ウェブブラウザ、電子手帳、カレンダー、及び全地球測位システム（ＧＰＳ）受信機のうち少なくともいずれかを含むＰＤＡと、無線電話トランシーバを含む従来からあるラップトップとパームトップ受信機或いは他の装置の内少なくともいずれかが含まれるが、これらのみに限定されるわけではない。
【００３０】
本発明のいくつかの実施形態は、種々のオーディオ／ビデオコンテンツソースへアクセスを行う端末を動作させるコンピュータプログラム製品及び方法を提供するものである。このオーディオ／ビデオコンテンツソースには、格納されたオーディオ／ビデオコンテンツ、ダウンロード可能なオーディオ／ビデオコンテンツ、ストリーミングオーディオ／ビデオコンテンツと放送／ウェブ配信オーディオ／ビデオコンテンツとの少なくともいずれかが制限なしに含まれる。特に、本発明のいくつかの実施形態によるコンピュータプログラム製品は、格納済みのユーザ基本設定に基づいて、種々のオーディオ／ビデオコンテンツソースの中からオーディオ／ビデオストリームを選択し、該選択されたオーディオ／ビデオストリームを端末側で再生し、それによって、ユーザ用のカスタマイズされたオーディオ／ビデオ番組を提供するように構成することができる。本発明のいくつかの実施形態によるコンピュータプログラム製品は、ユーザがオーディオ／ビデオコンテンツの再生を双方向に制御できるように構成することができる。例えば、ユーザは、端末のユーザインタフェースを用いて、次の番組セグメントの最初へスキップするか、現在のセグメントの最初へ戻るか、前のセグメントへ戻るかの少なくともいずれかの処理を行うことができる。本明細書で使用されているように、「セグメント」は、個々のオーディオ番組の要素を意味し、この用語は、例えば、再生リストから得られる歌曲、オーディオブック内の見出し、オーディオニュースマガジンのニュース・ストーリなどを含む場合もあり得る。どのセグメントがスキップされたか、どのセグメントが選択／反復されたかなどを含むユーザ入力とアクションとが格納され、分析されて、将来のユーザ基本設定を予測することが可能となり、その結果、ユーザの聴取習慣に基づいてこの格納済みのユーザ基本設定を動的に更新することも可能となる。
【００３１】
図１は、２つの通信端末１０２、１０４を含む無線通信システム１００を示す概略ブロック図である。これら２つの通信端末１０２、１０４は、直接無線通信インタフェース１０６を介するか、１つ以上のセルラ基地局１１０ａ−ｂを経由して別の無線通信インタフェース１０８を介するか、無線ローカルエリアネットワーク（ＷＬＡＮ）アクセスポイント１１４を通じて別の無線通信インタフェース１１２を介するかの少なくともいずれかのインタフェースを介してデータを互いに通信し合うように構成される。直接無線通信インタフェース１０６は、ブルートゥースインタフェースのようなＲＦ無線通信インタフェースか、あるいは、例えば、赤外線データ協会（ＩｒＤＡ）プロトコルにより規定されている赤外線通信インタフェースのような赤外線通信インタフェースを含むことができる。ＩｒＤＡは赤外線無線データ通信用の複数の規格を規定している。これらの規格は１６Ｍｂ／秒までのデータレートの赤外線無線通信用規格を含むものである。１つ以上の通信端末１０２、１０４は移動電話機、ＰＤＡ等のハンドヘルド型無線通信端末であってもよいことは理解できよう。
【００３２】
図１にさらに例示されているように、端末１０２、１０４は、表示装置１２０、ユーザインタフェース１２２、制御装置１２６、通信モジュール１２８、及び不揮発性メモリ１２５を含むことができる。表示装置１２０は、クォータＶＧＡ（ＱＶＧＡ、３２０×２４０ピクセル）と、共通中間フォーマット（ＣＩＦ、３６０×２８８ピクセル）と、クォータ共通中間フォーマット（ＱＣＩＦ、１８０×１４４ピクセル）との少なくともいずれかのようなビデオフォーマットでビデオ信号を表示する能力をもつことができる。端末１０２、１０４は、端末１０２、１０４が種々のフォーマットでビデオ信号を復号化し、表示できるようにする適切なコーデックを含むことができる。
【００３３】
上記ユーザインタフェース１２２は、キーパッドと、キーボードと、タッチパッドと、ジョグダイアルと、他のユーザ入力装置との少なくともいずれかを含むことができる。ユーザインタフェース１２２は、マイクに対する入射音に応答してオーディオデータストリームを生成する音声プロセッサに結合されたマイクと、入力オーディオ信号に応答して音を生成するスピーカと、デジタルのスチル画像とビデオ画像との少なくともいずれかをキャプチャするカメラとの少なくともいずれかを含むように構成することもできる。通信モジュール１２８は、１つ以上の無線インタフェース１０６、１０８、１１２の少なくともいずれかを介して遠隔地にある別の端末１０２、１０４へデータを通信するように構成される。端末１０２、１０４への電源のスイッチが切られた場合でさえ、不揮発性メモリ１２５はデジタル情報を格納するように構成される。
【００３４】
上記通信モジュール１２８は、例えば、セルラ通信モジュールと、ブルートゥースモジュールと、赤外線通信モジュールと、ＷＬＡＮモジュールとの少なくともいずれかを含むことができる。セルラ通信モジュールを用いて、端末１０２、１０４は、例えば、最新型移動電話サービス（ＡＭＰＳ）、ＡＮＳＩ−１３６、汎欧州デジタル移動電話（ＧＳＭ）方式、汎用パケット無線サービス（ＧＰＲＳ）、次世代ＧＳＭ用拡張型データレート（ＥＤＧＥ）、符号分割多元接続（ＣＤＭＡ）、広帯域ＣＤＭＡ、ＣＤＭＡ２０００、及び汎用移動体通信システム（ＵＭＴＳ）などの１つ以上のセルラ通信プロトコルを使用して、基地局１１０ａ−ｂを経由する通信を行うことができる。セルラ基地局１１０ａ−ｂは、移動体電話中継局（ＭＴＳＯ）１１６の無線ネットワークに接続することができ、この無線ネットワークは、今度は、１つ以上の他のネットワーク１１８（インターネットと、公衆電話交換網と、別のネットワークとの少なくともいずれかなど）に接続することができる。ブルートゥース又は赤外線モジュールを用いて、端末１０２、１０４は、直接インタフェース１０６を経由してアドホックなネットワークを介する通信を行うことができる。ＷＬＡＮモジュールによって、通信プロトコルを用いてＷＬＡＮルータ１１４を経由する通信を行うことができる。上記通信プロトコルは、端末１０２、１０４は、８０２．１１ａと、８０２．１１ｂと、８０２．１１ｅと、８０２．１１ｇと、８０２．１１ｉとの少なくともいずれかを含むことができるが、これらのみに限定されるわけではない。１つ以上の端末１０２、１０４は、図１に示すように、ネットワーク１１８を通じて直接通信を行うように構成することも可能である。
【００３５】
端末１０２、１０４は、相互の間で行うか、別の通信端末との間で行うかの少なくともいずれかの間で行われるデジタルデータ信号の送信と受信との少なくともいずれかを行うように構成することができる。上記別の通信端末は、例えばＭＴＳＯ１１６と別のネットワーク１１８との少なくともいずれかを経由して端末１０２、１０４と通信可能に結合されていてもよい。しかし、端末１０２、１０４間のデータ通信はＭＴＳＯ１１６又はＰＳＴＮ１１８を使用せずに達成し得ることは理解できよう。
【００３６】
端末１０２、１０４は、ＡＭ／ＦＭ無線チューナと、ＵＨＦ／ＶＨＦチューナと、衛星無線チューナと、ＤＶＢ−Ｈ受信機と、放送オーディオ／ビデオ信号を受信するように構成される別の受信機との少なくともいずれかを含むものであってもよい。
【００３７】
端末１０４は、例えば、ネットワーク１１８を介して、他の端末装置１０２からか、マルチメディアデータサーバ１５０からの少なくともいずれかからオーディオ／ビデオ番組を受信することができる。マルチメディアデータサーバ１５０はネットワーク１１８を介してオーディオ／ビデオ番組を端末へ送信することができる。ネットワーク１１８は、上述したように、オーディオ／ビデオとビデオとの少なくともいずれかの配信ネットワーク１１８を含むものであってもよい。上記送信は、特定の端末へのポイント・トゥー・ポイント伝送と、選択された端末グループへのポイント・ツー・マルチポイント伝送と、任意の端末への放送との少なくともいずれかを含むことができる。
【００３８】
本発明のいくつかの実施形態による携帯用電子装置においてオーディオ／ビデオコンテンツを再生する方法は、第１のオーディオ／ビデオ番組を格納する工程と、ユーザ基本設定を格納する工程と、第１のオーディオ／ビデオ番組を再生する工程と、該格納済みのユーザ基本設定に基づいて第１のオーディオ／ビデオ番組の再生を中断する工程と、第２のオーディオ／ビデオ番組を再生する工程とを含むことができる。第１のオーディオ／ビデオ番組は、単一の歌曲のような単一のオーディオ／ビデオ番組であるか、再生リストの中の１グループの歌曲のような一連のオーディオ／ビデオ番組を含むものであるかの少なくともいずれかであってもよい。第２のオーディオ／ビデオ番組の終了後、第１のオーディオ／ビデオ番組の再生を再開することができる。上記ユーザ基本設定は、例えば、ニュース番組と情報番組との少なくともいずれかを所定の時間間隔で中断できることを示す基本設定を含むものであってもよい。この中断は、例えば、格納済みの又は放送済みの音楽番組を再生するために行われる。場合によっては、上記ユーザ基本設定は、例えば、気象速報、金融速報、あるいは別の種類の速報のような緊急のニュース速報が受信された場合はいつでも番組の中断があり得ることを示すことができる。
【００３９】
いくつかの方法は、見出しマークと、歌曲の終了と、場面の終了と、オーディオ／ビデオコンテンツにおける中断との少なくともいずれかのようなブレイクポイントを第１のオーディオ／ビデオ番組の中で検出する工程をさらに含むことができる。したがって、この検出されたブレイクポイントにおいて第１のオーディオ／ビデオ番組の再生を中断することが可能となる。したがって、例えば、ユーザが、１０分という所定の時間間隔で第１の番組を中断するように基本設定を設定したと仮定すると、１０分の所定の時間間隔が経過した後、第１のブレイクポイントにおいて第１のオーディオ／ビデオ番組を中断することが可能となる。
【００４０】
実施形態によっては、第２のオーディオ／ビデオ番組が格納されないこともあるが、実施形態によっては、第２のオーディオ／ビデオ番組が端末に格納されることもある。このような場合、第２のオーディオ／ビデオ番組を再生する工程は格納済みの第２のオーディオ／ビデオ番組を再生する工程を含むことができる。例えば、緊急ニュース速報が受信された場合、第１のオーディオ／ビデオ番組を中断すべきことをユーザ基本設定が示す場合であって、緊急ニュース速報が受信された場合、第１のオーディオ／ビデオ番組が再生されていても、都合のよいブレイクポイントにあたっていなかった場合、端末は、第２のオーディオ／ビデオ番組としてその緊急ニュース速報を格納し、次いで、第１のオーディオ／ビデオ番組が都合のよいブレイクポイントに達した場合、第２のオーディオ／ビデオ番組を再生することができる。別の実施形態では、例えば、格納済みのユーザ基本設定に応じて、第１のオーディオ／ビデオ番組の音量を下げ、第２のオーディオ／ビデオ番組を第１のオーディオ／ビデオ番組に優先して再生することができる。
【００４１】
場合によっては、第２のオーディオ／ビデオ番組は放送番組であってもよい。第２のオーディオ／ビデオ番組を再生する工程は、受信機を用いて第２のオーディオ／ビデオ番組を受信し、この受信した第２のオーディオ／ビデオ番組を再生する工程を含むことができる。例えば、第２のオーディオ／ビデオ番組は、ＡＭ／ＦＭ無線放送と、ＤＶＢ−Ｈ放送と、衛星無線放送との少なくともいずれかから受信されるものであってもよい。第２のオーディオ／ビデオ番組はまた、例えば、ストリーミングダウンロードを含むインターネットからのダウンロードにより受信されるものであってもよい。
【００４２】
上記格納済みのユーザ基本設定は、例えば、番組の混合と、ジャンルと、基本設定と、中断を行う優先順位と、番組の優先的嗜好との少なくともいずれかを含むことができる。例えば、ユーザ基本設定は、再生の割合と再生時間との少なくともいずれかに基づいて、ニュースと、情報番組と、音楽番組との少なくともいずれかの混合を規定することができる。この基本設定は、例えば、音楽番組のジャンルの混合をさらに規定することも可能である。例えば、ユーザ基本設定は、音楽番組を聴く場合、５０％のロック、３０％のジャズ、２０％のクラッシク音楽の混合を規定することも可能である。
【００４３】
上記ユーザ基本設定はニュース速報アラートに対する優先順位を追加設定することも可能である。例えば、ニュースアラートの種類によっては、現在再生中のオーディオ／ビデオ番組を即座に中断させるような優先順位をアラート通報に与えることができるような種類のニュースアラートもあれば、現在再生中のオーディオ／ビデオ番組が次のブレイクポイントまで中断されないような優先順位をニュースアラートに与えることができるような種類のニュースアラートもある。
【００４４】
したがって、ユーザ基本設定は一般に以下のように類別することができる：
・  音楽ジャンルの基本設定（ロック／ポップ／クラッシク／ジャズ／その他）。この基本設定は再生リストの基本設定を含むことも可能である。例えば、ユーザは、１つ以上の再生リストを作成し、例えば、個々の再生リストが再生される相対的時間の割合を指定することも可能である。
【００４５】
・  中断を行う優先順位（ブレイクポイントの待機；中断中の一時停止）。中断を行う優先順位は、例えば、第２の番組が再生されている間、あるいは第１のオーディオ／ビデオ番組の音量を下げている間、第２のオーディオ／ビデオ番組を第１のオーディオ／ビデオ番組に優先して再生している間、規定された又は検出されたブレイクポイントの待機によるか、第１のオーディオ／ビデオ番組の一時停止によるかの少なくともいずれかによって、端末が更新処理を行う方法を規定するようにしてもよい。中断を行う優先順位を利用して、例えば、アラート通報がオーディオ番組を中断できるか、ビデオ番組を中断できるかを規定することも可能である。
【００４６】
・  優先的嗜好（ニュース、気象、株の更新などの優先順位など）。優先的嗜好を利用して、或る種の規定されている更新を受信時に即座に再生できるかどうかという点と、同時更新を受信した場合、どの種類の更新を第１に再生できるかという点の少なくともいずれかの点について規定することも可能である。場合によっては、優先的嗜好を利用して、中断を行う優先順位を或る種の更新に対して無効にすることも可能である。
【００４７】
別の種類の基本設定を用いて、本発明のいくつかの実施形態に従ってカスタマイズされたオーディオ／ビデオ番組を作成することも可能であるが、上述のユーザ基本設定のすべてを必ずしも本発明によるいくつかの実施形態の中に含み得るわけではない。実施形態によっては、過去のユーザ入力に基づいてユーザ基本設定を発見的に決定できるものもある。したがって、例えば、ユーザの歌曲基本設定に基づいて音楽ジャンルの基本設定を動的に調整して、この基本設定を特定ジャンルの歌曲が再生される回数に基づく設定にすることも可能である。
【００４８】
ＦＭ無線受信機により復号化される無線データシステム（ＲＤＳ）データメッセージとして、あるいは、上記データメッセージに応答して上記第２のオーディオ／ビデオ番組を受信してもよい。ＲＤＳとは、通常の音声と共に、ＦＭ信号の副搬送波上で低速データレートで送信される情報である。ＲＤＳデータを用いて、無線デジタル表示に表示できる無線番組に関する（局のＩＤ、コンテンツの種類などのような）情報を送信することも可能である。ＲＤＳデータを用いて、旅行警報、交通警報及びニュースアラートのような警報の利用可能性を提供したり、示したりすることも可能である。このＲＤＳデータをデジタル化された音声に端末側で変換するか、あるいは、このＲＤＳデータを別様に用いて音声警報を生成することも可能である。
【００４９】
実施形態によっては、端末側で、ユーザがカスタマイズされた音楽の混合などを聴きながら、バックグラウンドで１つ以上のポッドキャスト用オーディオ／ビデオ番組をダウンロードできるものもある。
【００５０】
図２は、本発明のいくつかの実施形態によるユーザ端末の動作２００を例示する図である。この図に示すように、本発明の実施形態に従って構成された端末が第１のオーディオ／ビデオ番組を再生する（ブロック２０２）。この第１のオーディオ／ビデオ番組は、複数のソースから得られる複数のオーディオ／ビデオ番組のうちの任意の番組を含むことができる。例えば、第１のオーディオ／ビデオ番組は、格納済みのＭＰ３又はＭＰＥＧファイル、ストリーミングオーディオ／ビデオのフィード、ＡＭ／ＦＭ無線放送、ＵＨＦ／ＶＨＦ  ＴＶ放送、衛星無線放送あるいは他の任意の種類のオーディオ／ビデオ番組であってもよい。場合によっては、このオーディオ／ビデオ番組は、端末側に格納された１つ以上の再生リストから選択した結果を含むものであってもよい。第１のオーディオ／ビデオ番組のプレイバック中に第２のオーディオ／ビデオ番組が端末側で受信される（ブロック２０４）。第２のオーディオ／ビデオ番組が第１のオーディオ／ビデオ番組を中断できる番組であることが格納済みのユーザ基本設定により示されているかどうかを調べるチェックが行われる（ブロック２０６）。それが示されていれば、ユーザ端末は第１のオーディオ／ビデオ番組を中断し（ブロック２０８）、第２のオーディオ／ビデオ番組を再生する（ブロック２１０）。第１のオーディオ／ビデオ番組を中断する工程は第１のオーディオ／ビデオ番組を完全に停止させる工程を含むことができる。あるいは、上記中断工程は、第１のオーディオ／ビデオ番組の音量を下げる工程を含むことができる。したがって、第２のオーディオ／ビデオ番組を再生する工程は、第２のオーディオ／ビデオ番組を第１のオーディオ／ビデオ番組に優先して再生する工程を含むことができる。
【００５１】
第２のオーディオ／ビデオ番組が終了するとすぐに、第１のオーディオ／ビデオ番組の再生工程を再開することができる（ブロック２１２）。
【００５２】
第２のオーディオ／ビデオ番組が第１のオーディオ／ビデオ番組を中断できる種類のものとして特定されていなければ、第１のオーディオ／ビデオ番組のプレイバックが終了中に（ブロック２１６）、バックグラウンドで第２のオーディオ／ビデオ番組を格納することができる（ブロック２１４）。第１のオーディオ／ビデオ番組のプレイバックが終了した後、第２のオーディオ／ビデオ番組を再生することができる（ブロック２１８）。
【００５３】
図３は本発明の別の実施形態による処理３００を例示する図である。図示のように、第１のオーディオ／ビデオ番組が再生される（ブロック３０２）。第１のオーディオ／ビデオ番組が再生されている間、例えば、ニュースアラートのような第２のオーディオ／ビデオ番組が受信される（ブロック３０４）。端末が第２のオーディオ／ビデオ番組の受信時に第１のオーディオ／ビデオ番組を中断するように構成されていると仮定すると、第２のオーディオ／ビデオ番組が、第１のオーディオ／ビデオ番組に優先して再生すべき番組であるかどうかかを調べるチェックが行われる（ブロック３０６）。優先して再生すべきでなければ、第２のオーディオ／ビデオ番組を再生するまで、次の指定ブレイクポイント又は検出ブレイクポイントを端末が待機すべきかどうかを調べるチェックが行われる（ブロック３０８）。例えば、気象警報はブレイクポイントを待機せずに音楽番組又はビデオ番組を中断すべきであるが、ニュースアラートはブレイクポイントに達した後でのみ再生されるべきである旨をユーザ基本設定により示すことができる。実施形態によっては、様々な種類の番組に優先順位を与えて、例えば、これらの番組が低い優先順位を有する番組を中断できることを示すようにすることが可能なものもある。
【００５４】
格納済みのユーザ基本設定によって、端末がブレイクポイントを待機すべきである旨が示されている場合には、端末は、第２のオーディオ／ビデオ番組をバックグラウンドで格納することができる（ブロック３２４）。次いで、端末は、第１のオーディオ／ビデオ番組の中断（ブロック３１２）までブレイクポイントを待機することができる（ブロック３１０）。次いで、第２のオーディオ／ビデオ番組が再生される（ブロック３１４）。第２のオーディオ／ビデオ番組が終了した後、第１の番組のプレイバックが再開される（ブロック３１６）。
【００５５】
しかし、ユーザ基本設定によって、第２のオーディオ／ビデオ番組を再生するまでブレイクポイントを待機すべきでない旨が示されている場合には、ブロック３０８からブロック３１２へのライン３０９によって示されているように、第２のオーディオ／ビデオ番組の受信時に第１のオーディオ／ビデオ番組を中断することができる。
【００５６】
ブロック３０６でのチェックによって、第２のオーディオ／ビデオ番組を第１のオーディオ／ビデオ番組に優先して再生すべきであることが示された場合には、第１のオーディオ／ビデオ番組の音量は下げられ（ブロック３１８）、次いで、バックグラウンドで第１のオーディオ／ビデオ番組を小さな音量で再生しながら、第２のオーディオ／ビデオ番組が再生される（ブロック３２０）。第２のオーディオ／ビデオ番組が終了した後、第１のオーディオ／ビデオ番組の音量は再び上げられる（ブロック３２２）。これらの実施形態は、第１又は第２の番組が音声のみの番組である場合には特に関連性を持たせるようにすることができる。例えば、第１の番組がＭＰＥＧフィルムクリップである場合、スピーカを通して第２の番組を再生しながら、第１の番組の音量を下げることができる。同様に、第１の番組がオーディオ番組である場合、第１の番組の音量を下げながらＭＰＥＧフィルムクリップを再生することができる。
【００５７】
図４は本発明の別の実施形態による処理４００を例示する図である。処理４００は、図３に例示の処理３００の場合と同様の処理である。したがって、図中の同じ参照番号を用いて同じ処理を示すものとする。しかし、処理４００の間、第２のオーディオ／ビデオ番組の再生中に、ブロック３１２で第１のオーディオ／ビデオ番組のプレイバックが停止されると、バックグラウンドで第１のオーディオ／ビデオ番組を格納することができる（ブロック４２６）。このことは、第１のオーディオ／ビデオ番組がタイムスケジュールされた放送オーディオ／ビデオ番組（すなわちスケジュールされた時刻に伝送され、オン・デマンドで提供できない番組）を含む場合に特に有用なものになり得る。上記のようなオーディオ／ビデオ番組の例として、無線で放送されたり、インターネット上でストリーム配信されたりするような番組がある。というのは、受信端末で再生されている場合、このようなオーディオ／ビデオ番組を格納することは通常できないからである。
【００５８】
いくつかの実施形態では、ブレイクポイントを待機したり、第２のオーディオ／ビデオ番組を自動的に再生したりする代わりに、端末がアイコンを表示するか、第２のオーディオ／ビデオ番組が受信されたことを示す耳に聞こえる告知を生成するかの少なくともいずれかを行い、次いで、キーの押圧などのユーザ入力を待機して、第２のオーディオ／ビデオ番組のプレイバックを開始するものもある。第２のオーディオ／ビデオ番組の種類が、再生される前にユーザ入力を待機する必要があるかどうかは格納済みのユーザ基本設定により決定することができる。
【００５９】
実施形態によっては、端末がユーザのアクションを追跡し、ユーザ基本設定を適宜調整できるものもある。例えば、格納済みのユーザ基本設定によって、株価通報を再生する前に端末がユーザ入力を待機すべきである旨が示されているが、ユーザが常に株価通報を即座に再生していることが端末により検出された場合には、このような種類のアラート通報の受信時に即座にその通報を再生するように端末はユーザ基本設定を変更することも可能である。同様に、ユーザが特定のジャンルや歌曲を特定の再生リストから頻繁にスキップしていることが端末により検出された場合には、端末は、このような再生リストとジャンルの少なくともいずれかからの歌曲の再生頻度が、他の再生リストとジャンルとの少なくともいずれかからの歌曲と比べてより低くなるように自動的に調整することも可能である。
【００６０】
実施形態によっては、選択された種類のオーディオ／ビデオ番組に対して相対的優先順位は規定できるものもある。例えば、オーディオ／ビデオ番組に以下の降順の優先順位で優先順位を与えるようにしてもよい：気象警報、株価通報、ニュースアラート、ビデオ番組、音楽番組。中断はオーディオ／ビデオ番組の相対的優先順位に基づいて行うことができる。したがって、着信する株価通報は音楽番組の再生を中断することができるが、気象警報を中断することはできないことになる。
【００６１】
本発明の態様に従って、ダウンロード済みのマルチメディア番組を再生する例示的な処理を示すフローチャート図である図２〜図４を参照しながら、本発明について部分的に説明した。図２〜図４のフローチャート図のブロックと、フローチャート図内のブロックとの組み合わせが、移動端末１０２、１０４のような通信端末に含まれる電子回路を用いて実施可能であることは理解されよう。図２〜図４のフローチャート図のブロックと、フローチャート図内のブロックとの組み合わせが、図１に示す構成要素以外の構成要素を用いて実施可能であること、そして、一般に、図２〜図４のフローチャート図のブロックと、フローチャート図内のブロックとの組み合わせが、集積回路又は１つ以上の特定用途向け集積回路（ＡＳＩＣ）の組み合わせのような個別のアナログ回路とデジタル回路との少なくともいずれかのような特定用途向けハードウェアにおいて実施可能であるのみならず、コンピュータ又は他のプログラム可能なデータ処理装置にロードすることもできるコンピュータプログラム命令であって、コンピュータ又は他のプログラム可能なデータ処理装置上で実行する命令が、フローチャートブロックまたはフローチャートブロック群に指定された機能を実行する手段を創成するように機械を製造するコンピュータプログラム命令によって、上記ブロックの組み合わせが実施可能であることも理解すべきである。上記コンピュータプログラム命令は、コンピュータ又は他のプログラム可能な装置において一連の処理工程を実行するために、コンピュータ又は他のプログラム可能なデータ処理装置にロードされ、コンピュータにより実行される処理を生成することができる。そうすることで、コンピュータ又は他のプログラム可能な装置上で実行される命令は、フローチャートと、ブロック図のブロック又はブロック群で特定される機能を実現する工程を提供することになる。
【００６２】
したがって、図２〜図４のフローチャート図のブロックは、指定された機能／動作を実行する電子回路及び別の手段と、上記指定された機能／動作を実行する工程の組み合わせとをサポートするものである。これらの回路と別の手段とが図２〜図４のフローチャート図の各ブロックによりサポートされていること、そして、特定用途向け又は汎用向けデータプロセッサによって、あるいは、これらデータプロセッサの組み合わせで作動する特定用途向けハードウェアによって上記フローチャート図のブロックの組み合わせを実施できることは理解されよう。
【００６３】
図面及び本明細書において本発明の実施形態を開示した。特定の用語を用いたが、これらの用語は一般的かつ説明的な意味合いでのみ用いられたものであって、本発明の範囲を限定することを意図するものではない。本発明の範囲は特許請求の範囲に記載されている。
【図面の簡単な説明】
【００６４】
【図１】本発明のいくつかの実施形態による無線通信端末とセルラ通信システムとを示す概略ブロック図である。
【図２】本発明のいくつかの実施形態による通信端末の動作を示す流れ図である。
【図３】本発明のいくつかの実施形態による通信端末の動作を示す流れ図である。
【図４】本発明のいくつかの実施形態による通信端末の動作を示す流れ図である。
【図１】
2009514344.tif 000003
【図２】
2009514344.tif 000004
【図３】
2009514344.tif 000005
【図４】
2009514344.tif 000006
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
オーディオ／ビデオ番組を携帯用電子装置において再生する方法であって、
第１のオーディオ／ビデオ番組を再生する工程と、
格納済みのユーザ基本設定に基づいて前記第１のオーディオ／ビデオ番組の再生を中断する工程と、
第２のオーディオ／ビデオ番組を再生する工程と、
を備え、
前記第１のオーディオ／ビデオ番組を中断する工程は、
前記第２のオーディオ／ビデオ番組の受信時に通知信号を生成する工程と、
該通知信号に応答してユーザ入力を受信する工程と
前記ユーザ入力に応答して前記第１のオーディオ／ビデオ番組を中断する工程と
を更に含むことを特徴とする方法。
【請求項２】
前記第２のオーディオ／ビデオ番組の再生が終了した後、前記第１のオーディオ／ビデオ番組の再生を再開する工程をさらに備えることを特徴とする請求項１に記載の方法。
【請求項３】
前記第１のオーディオ／ビデオ番組を中断する工程は、
前記第１のオーディオ／ビデオ番組の音量を下げる工程と、
前記第２のオーディオ／ビデオ番組を再生する工程と、
前記第２のオーディオ／ビデオ番組を、前記第１のオーディオ／ビデオ番組に優先して再生する工程と
を含むことを特徴とする請求項１に記載の方法。
【請求項４】
前記第１のオーディオ／ビデオ番組はタイムスケジュールされたオーディオ／ビデオ番組を含み、
前記方法は、前記第２のオーディオ／ビデオ番組が再生されている間、前記第１のオーディオ／ビデオ番組を格納する工程をさらに備えることを特徴とする請求項１に記載の方法。
【請求項５】
前記第１のオーディオ／ビデオ番組の中にブレイクポイントを検出する工程をさらに備え、
前記ブレイクポイントの検出は前記携帯用電子装置において実行され、
前記第１のオーディオ／ビデオ番組の再生を中断する工程は、前記検出されたブレイクポイントにおいて前記第１のオーディオ／ビデオ番組の再生を中断する工程を含むことを特徴とする請求項２に記載の方法。
【請求項６】
前記通知信号を生成する工程は、アイコンを表示する工程と、可聴告知を生成する工程との少なくともいずれかの工程を含むことを特徴とする請求項１に記載の方法。
【請求項７】
前記第２のオーディオ／ビデオ番組を格納する工程をさらに備え、
前記第２のオーディオ／ビデオ番組を再生する工程は、前記格納済みの第２のオーディオ／ビデオ番組を再生する工程を含むことを特徴とする請求項１に記載の方法。
【請求項８】
前記第２のオーディオ／ビデオ番組は放送番組であり、
前記第２のオーディオ／ビデオ番組を再生する工程は、
前記第２のオーディオ／ビデオ番組を受信機を用いて受信する工程と、
該受信した第２のオーディオ／ビデオ番組を再生する工程と
を含むことを特徴とする請求項１に記載の方法。
【請求項９】
前記第２のオーディオ／ビデオ番組を受信する工程は、ＡＭ／ＦＭ無線放送と、ＵＨＦ／ＶＨＦ  ＴＶ放送と、ＤＶＢ−Ｈ放送と、衛星無線放送との少なくともいずれかから前記第２のオーディオ／ビデオ番組を受信する工程を含むことを特徴とする請求項８に記載の方法。
【請求項１０】
前記第２のオーディオ／ビデオ番組を受信する工程は、データ通信ネットワークを通じて前記第２のオーディオ／ビデオ番組をダウンロードする工程を含むことを特徴とする請求項８に記載の方法。
【請求項１１】
前記格納済みのユーザ基本設定は、番組の混合についての嗜好と、番組の優先順位とのいずれか一方を含むことを特徴とする請求項１に記載の方法。
【請求項１２】
前記ユーザ基本設定は、従前のユーザの番組選択の分析に基づいて発見的に決定されることを特徴とする請求項１に記載の方法。
【請求項１３】
前記第２のオーディオ／ビデオ番組は、ニュースと交通警報との少なくともいずれかを含むことを特徴とする請求項１に記載の方法。
【請求項１４】
前記第２のオーディオ／ビデオ番組は、ＦＭ無線受信機によって復号化されるＲＤＳデータメッセージとして受信されることを特徴とする請求項１に記載の方法。
【請求項１５】
前記第１のオーディオ／ビデオ番組は音声のみの番組を含み、
前記第２のオーディオ／ビデオ番組はビデオ番組を含む
ことを特徴とする請求項１に記載の方法。
【請求項１６】
前記第１のオーディオ／ビデオ番組はビデオ番組を含み、かつ、前記第２のオーディオ／ビデオ番組は音声のみの番組を含むことを特徴とする請求項１に記載の方法。
【請求項１７】
オーディオ／ビデオ番組を携帯用電子装置において再生するためのコンピュータプログラム製品であって、
コンピュータ可読記憶媒体であって、コンピュータ可読プログラムコードを前記媒体の中に実装したコンピュータ可読記憶媒体を備えるコンピュータプログラム製品であって、前記コンピュータ可読プログラムコードは、
第１のオーディオ／ビデオ番組を再生するように構成されたコンピュータ可読プログラムコードと、
格納済みのユーザ基本設定に基づいて、前記第１のオーディオ／ビデオ番組の再生を中断するように構成されたコンピュータ可読プログラムコードと、
第２のオーディオ／ビデオ番組を再生するように構成されたコンピュータ可読プログラムコードと、
前記第２のオーディオ／ビデオ番組の受信時に通知信号を生成し、該通知信号に応答してユーザ入力を受信し、該ユーザ入力に応答して前記第１のオーディオ／ビデオ番組を中断するように構成されたコンピュータ可読プログラムコードと
を備えることを特徴とするコンピュータプログラム製品。
【請求項１８】
前記コンピュータプログラム製品は、前記第２のオーディオ／ビデオ番組の再生が終了した後、前記第１のオーディオ／ビデオ番組の再生を再開するように構成されたコンピュータ可読プログラムコードをさらに含むことを特徴とする請求項１７に記載のコンピュータプログラム製品。
【請求項１９】
前記コンピュータプログラム製品は、前記第１のオーディオ／ビデオ番組においてブレイクポイントを検出し、該検出されたブレイクポイントにおいて前記第１のオーディオ／ビデオ番組の再生を中断するように構成されたコンピュータ可読プログラムコードをさらに含むことを特徴とする請求項１８に記載のコンピュータプログラム製品。
【請求項２０】
前記コンピュータプログラム製品は、前記第２のオーディオ／ビデオ番組を格納し、該格納済みの第２のオーディオ／ビデオ番組を再生するように構成されたコンピュータ可読プログラムコードをさらに含むことを特徴とする請求項１７に記載のコンピュータプログラム製品。
【請求項２１】
前記コンピュータプログラム製品は、前記第２のオーディオ／ビデオ番組を受信機を用いて受信し、該受信された第２のオーディオ／ビデオ番組を再生するように構成されたコンピュータ可読プログラムコードをさらに含むことを特徴とする請求項１７に記載のコンピュータプログラム製品。
【請求項２２】
請求項１に記載の処理を実行するように構成されたことを特徴とする携帯用電子装置。
【請求項２３】
請求項１７に記載のコンピュータプログラム製品によってプログラムされることを特徴とする携帯用電子装置。
【請求項２４】
オーディオ／ビデオ番組を携帯用電子装置において再生する方法であって、
選択される種類のオーディオ／ビデオ番組を規定する工程と、
前記選択された種類の第１及び第２の種類のオーディオ／ビデオ番組に対して相対的優先順位を規定する工程と、
前記選択された種類のオーディオ／ビデオ番組のうちの前記第１の種類を有する第１のオーディオ／ビデオ番組を再生する工程と、
前記選択された種類のオーディオ／ビデオ番組のうちの前記第２の種類を有する第２のオーディオ／ビデオ番組を受信する工程と、
前記第１のオーディオ／ビデオ番組においてブレイクポイントを検出する工程と、
前記選択された種類のオーディオ／ビデオ番組の第２の種類の方が、前記選択された種類のオーディオ／ビデオ番組の第１の種類よりも高い優先順位を有する場合、前記検出されたブレイクポイントにおいて前記第１のオーディオ／ビデオ番組の再生を中断する工程と、を備えることを特徴とする方法。
【請求項２５】
前記第２のオーディオ／ビデオ番組の再生が終了した後、前記第１のオーディオ／ビデオ番組の再生を再開する工程をさらに備えることを特徴とする請求項２４に記載の方法。
【請求項２６】
前記第１のオーディオ／ビデオ番組を中断する工程は、前記第１のオーディオ／ビデオ番組の音量を下げる工程を含み、
前記第２のオーディオ／ビデオ番組を再生する工程は、前記第２のオーディオ／ビデオ番組を前記第１のオーディオ／ビデオ番組に優先して再生する工程を含む
ことを特徴とする請求項２４に記載の方法。
【請求項２７】
前記第１のオーディオ／ビデオ番組はタイムスケジュールされたオーディオ／ビデオ番組を含み
前記方法は、前記第２のオーディオ／ビデオ番組が再生されている間、前記第１のオーディオ／ビデオ番組を格納する工程をさらに備えることを特徴とする請求項２４に記載の方法。
【国際調査報告】
2009514344.tif 000007
2009514344.tif 000008
2009514344.tif 000009